(57)【要約】【課題】  パチンコ機等に使用される窓構造体の構造及び組立作業を単純化する。【解決手段】  金型１に透明板２を収納して型閉し、透明板２の周囲に形成されたキャビティ３にゲート４から合成樹脂を射出してインサート成形する。キャビティ３内の樹脂は枠体６となり、透明板２と一体化する。  枠体６が分割されていないから、枠体６を成形するための金型は１種類で済むし、１枠分を作るための射出成形も１回で済む。枠体６を組み立てたり、枠体６に透明板２を嵌め込む作業は不要であるから、製造工程は簡略化され、工数も少なくなる。【選択図】  図１
2005058671.tif 000002
【特許請求の範囲】
【請求項１】
合成樹脂製の枠体と該枠体の内側に嵌め込まれた透明板とが一体化されている窓構造体において、
前記透明板を収納して型閉した金型に合成樹脂を射出するインサート成形によって、前記透明板の周囲に合成樹脂製の枠体を形成し一体化したことを特徴とする窓構造体。
【請求項２】
請求項１記載の窓構造体において、
前記透明板は、前記枠体の内周側に設けられた嵌合溝に外周部を嵌合させられていることを特徴とする窓構造体。
【請求項３】
請求項１または２記載の窓構造体の枠体に、前記透明板と平行に別の透明板を取り付けて複層としたことを特徴とする窓構造体。
【請求項４】
請求項３記載の窓構造体において、
前記別の透明板は、前記枠体に接着されていることを特徴とする窓構造体。
【請求項５】
請求項３又は４記載の窓構造体において、
前記別の透明板は、前記枠体に設けられている嵌合部に嵌め込まれていることを特徴とする窓構造体。
【請求項６】
請求項１ないし５のいずれか１項に記載の窓構造体において、
前記金型内にインサートされる透明板はガラス板であることを特徴とする窓構造体。
【請求項７】
請求項１ないし６のいずれか１項に記載の窓構造体が、遊技盤の前方に配置されていることを特徴とする弾球遊技機。
【請求項８】
請求項７記載の弾球遊技機において、
前記窓構造体は、前記弾球遊技機の横幅に対応する幅で扉状に開閉される前枠であることを特徴とする弾球遊技機。
【発明の詳細な説明】
【技術分野】
【０００１】
本発明は、合成樹脂製の枠体と該枠体の内側に嵌め込まれた透明板とが一体化されている窓構造体に関する。
【背景技術】
【０００２】
パチンコ機などの弾球遊技機では、遊技盤の前方にガラス板を配置して、そのガラス板と遊技盤との間に遊技領域となる空間を形成し、発射装置によって発射されて遊技領域に撃ち込まれた遊技球の挙動によって遊技が行われ、入賞等が成立すれば遊技球（賞球）が払い出されるのが普通である。従って、遊技の実行だけならガラス板は１枚だけでよいのだが、主に不正行為に対する耐性を高めるために、さらにもう１枚の透明板（普通はガラス板）を遊技者側に配していた。
【０００３】
これら２枚のガラス板はガラスレールに保持されて、扉状の前枠に装着されることが多いが、２枚のガラス板の周囲を合成樹脂製の枠体に固定することで一体構造としたガラス構造体がある。
【０００４】
例えば特開平６−１３４１２２号公報（特許文献１）には、枠体を、上下一対の横枠と左右一対の縦枠とに分割して形成し、横枠と縦枠のそれぞれ内側面に設けられた２条の嵌合溝に板ガラスを嵌挿させて、横枠と縦枠をそれぞれの端部の係合部と被係合部との係合によって一体的に連結する構成の複合ガラス板が開示されている。
【特許文献１】特開平６−１３４１２２号公報（請求項１、図３）
【発明の開示】
【発明が解決しようとする課題】
【０００５】
特許文献１に開示の技術では、合成樹脂製の枠体を４分割して形成するので、それに応じた種類の金型が必要となるし、１枠分を作るための射出成形も複数回行わねばならない。また、４部品を組み合わせて１枠とするので、これらを組み合せ、連結する作業も必要になる。要するに、構造が複雑で組立作業も複雑であった。
【課題を解決するための手段】
【０００６】
請求項１記載の窓構造体は、合成樹脂製の枠体と該枠体の内側に嵌め込まれた透明板とが一体化されている窓構造体において、前記透明板を収納して型閉した金型に合成樹脂を射出するインサート成形によって、前記透明板の周囲に合成樹脂製の枠体を形成し一体化したことを特徴とする。
【０００７】
合成樹脂製の枠体が分割されていないから、金型は１種類で済むし、１枠分を作るための射出成形も１回で済む。枠体を組み立てたり、枠体に透明板を嵌め込む作業は不要であるから、製造工程は簡略化され、工数も少なくなる。すなわち、構造が複雑で組立作業も複雑であるという、従来技術の問題は解決される。
【０００８】
透明板はガラス板でもよいし、合成樹脂でもよい。また、透光性を損なわない限度で、例えばコーティングや練り込み等によって着色されていてもよい。
ガラス板の場合、インサート成形時における金型による圧迫で破損することが懸念されるかもしれないが、ガラス板と金型との間にクリアランスを確保して、金型による圧迫を避ければよい。このクリアランスは、射出された樹脂が進入しない範囲であれば問題はない。樹脂の種類、射出圧、温度等の成形条件によるので一律ではないが、０．１ｍｍ程のクリアランスであれば問題はない。
【０００９】
枠体を形成する合成樹脂には特段の制限はなく、ＡＢＳ、ポリエチレン、ポリカーボネート、ＰＯＭ、ナイロン等の各種樹脂を、窓枠体の用途や使用条件等に応じて選択すればよい。
【００１０】
透明板と枠体との結合状態は、請求項２記載のように、前記透明板は、枠体の内周側に設けられた嵌合溝に透明板の外周部を嵌合させる構造とするのが望ましい。この構造とすれば、透明板が枠体から脱落するおそれはない。なお、嵌合溝は、透明板の全周にわたる必要はなく、嵌合溝を例えばとぎれとぎれに複数箇所設けたり、各辺の中央部とコーナー部に設けるような構成でもよい。
【００１１】
窓構造体を弾球遊技機に使用する場合、つまり請求項７又は８の弾球遊技機にあっては、背景技術の項で述べたように、２枚の透明板を適宜間隔で前後に重ねた構造が望ましい。
【００１２】
しかしながら、２枚の透明板を間隔を空けて配置してインサート成形するのは困難であるから、請求項３に記載のように、１枚の透明板と枠体とからなる請求項１または２記載の窓構造体の枠体に、前記透明板と平行に別の透明板を取り付けて複層構造にする方が容易である。
【００１３】
２枚目の透明板と枠体との結合構造は特に制限されないが、請求項４記載のように２枚目の透明板を枠体に接着したり、請求項５記載のように２枚目の透明板を枠体に設けられている嵌合部に嵌め込んで取り付けるのが簡便である。２枚目の透明板を枠体に設けられている嵌合部に嵌め込んで接着すれば、２枚目の透明板の取付がより強固、確実になる。
【００１４】
請求項５記載の嵌合部は、上述の嵌合溝と同様、２枚目の透明板の全周にわたる必要はなく、嵌合部を例えばとぎれとぎれに複数箇所設けたり、各辺の中央部とコーナー部に設けるような構成でもよい。
【００１５】
窓構造体を弾球遊技機に使用する場合、遊技盤との間に遊技領域となる空間を形成する透明板は、遊技球が接触（衝突）した際の滑り具合（摩擦）や跳ね返り具合が遊技に影響するので、これをガラス板とするのが望ましい。
【００１６】
また、遊技者に対面する透明板は、金属製品等で擦過されたりして傷つけられるおそれがあるが、ガラスはこれらに対する耐性が高いので、これもガラス板とするのが望ましい。ただし、合成樹脂板でも耐擦過性の表面処理を施せばよいのでガラス板に限る必要はない。
【００１７】
つまり請求項７又は８の弾球遊技機にあっては、少なくとも遊技盤側の透明板をガラス板とするのが好ましく、２枚ともガラス板とするのもよい。
従って、請求項６に記載のように、請求項１ないし５のいずれか１項に記載の窓構造体において、前記金型内にインサートされる透明板はガラス板であることを特徴とする窓構造体が弾球遊技機に適している。また、弾球遊技機以外でも、例えばスロットマシンの表示窓部分に使用する場合等にも適している。
【００１８】
請求項７記載の弾球遊技機は、請求項１ないし６のいずれか１項に記載の窓構造体が、遊技盤の前方に配置されていることを特徴とするので、弾球遊技機において上記の通りの効果が得られる。
【００１９】
窓構造体は、例えば特許文献１の複合ガラス板と同様に、これを前枠（ガラス枠等と呼ばれることもある）の裏面側に装着して使用することもできる。
また、請求項８記載のように、前記窓構造体を、前記弾球遊技機の横幅に対応する幅で扉状に開閉される前枠とすることもできる。つまり、窓構造体の枠部が前枠の枠体となっている構造である。この場合、前枠と窓構造体とが１部品になっているので、両者を別々に製造する必要がないし、両者を組み付ける作業も必要ない。なお、前枠にはヒンジ構造（軸や軸受）が設けられたり、主に補強として合成樹脂製の部材や板金等が取り付けられることがあり、また前面側には装飾用の成形品や電飾類が取り付けられることがあるが、請求項８の発明はこれらのような部品の取付を排除しない。
【発明を実施するための最良の形態】
【００２０】
次に、本発明の最良の実施形態を説明する。なお、本発明は、以下に例示する具体的な数値、材料等に限定されるものではなく、本発明の要旨を逸脱しない範囲でさまざまに実施できることは言うまでもない。
［製造手順］
まず、窓構造体の製造手順を説明する。
【００２１】
図１に示すように、固定型１ａと可動型１ｂとで構成される金型１に透明板（ガラス板又は合成樹脂板）２を収納して型閉する。透明板２は、例えば負圧による吸引等の手段で、金型１内での位置を保持されている。
【００２２】
また、透明板２の周囲には、枠体に対応するキャビティ３が形成されている。このキャビティ３内にゲート４から合成樹脂を射出して、合成樹脂が固化してから型開して成形品５を取り出す。
【００２３】
成形品５は、図２（ａ）に示すように、透明板２の外周部に合成樹脂製の枠体６が形成されて一体化した構造をしている。詳しくは、枠体６の内周側には嵌合溝７が形成され、この嵌合溝７に透明板２の外周部が嵌合した状態で両者が連結されている。従って、透明板２又は枠体６を破壊しない限り両者を分離できない。
【００２４】
また、枠体６には段差状の嵌合部８が設けられている。そして、図２（ｂ）に示すように、この嵌合部８に２枚目の透明板２ａを嵌め込んで接着することで、２枚目の透明板２ａが枠体６に取り付けられる。
【００２５】
窓構造体９は、このような手順で製造される。
［具体例１］
まず、図３により、弾球遊技機の一種であるパチンコ機１０の構造を説明する。
【００２６】
パチンコ機１０は正面から見た形状が長方形の外枠１２を備えている。外枠１２は公知のパチンコ機のものと同様であり、その内側に各種の機構を収容している。それらの機構もまた公知のパチンコ機のものと同様であるので、図示と説明は省略する。
【００２７】
外枠１２には、上下のヒンジ１３を介して中枠１４が取り付けられている。中枠１４はヒンジ１３を軸として扉状に開閉可能であるが、通常は図示するように閉じられている。
その中枠１４の前面側の上半部には、中枠１４によって保持されている遊技盤（図示は省略）を臨ませる窓２２を有する窓扉１５が、軸支手段であるヒンジ１６ａ、１６ｂを介して扉状に開閉可能に中枠１４に取り付けられている。窓扉１５は上述の窓構造体９であり請求項８に記載の前枠に該当し、図示するとおり、その横幅はパチンコ機１０の横幅とほぼ等しい。
【００２８】
窓扉１５の下方にては上皿１７ａを備える上皿扉１７がヒンジ１６ｂ、１６ｃを介して扉状に開閉可能に中枠１４に取り付けられている。これらも通常は図示するように中枠１４の前面側に閉じられている。
【００２９】
さらに、上皿扉１７の下方にては下皿１８及び灰皿１９が、下皿パネル２０を介して中枠１４の前面側に取り付けられている。下皿パネル２０は中枠１４に固着（一体化）されている。また、下皿１８の右側には発射ハンドル２１が取り付けられている。
【００３０】
これら上皿扉１７（上皿１７ａ）、下皿１８、灰皿１９及び発射ハンドル２１は、デザイン的な差異を除けば公知のパチンコ機に装備されているものと変わるところはない。
窓扉１５に設けられた円形の窓２２のサイズは遊技盤（図示は省略）に形成された遊技領域（ガイドレール等で区画されるほぼ円形の領域で、この領域に入賞装置等が配置されている。）とほぼ等しく、図３に示す状態のときには、中枠１４によって保持されている遊技盤の遊技領域とほぼ重なる位置に設けられている。
【００３１】
この窓２２は透明板に該当するガラス板２６によって閉鎖されているが、ガラス板２６と枠体に該当する周縁部２３とは、窓構造体９として説明したように一体化されている。周縁部２３の表面には装飾用の模様等の着色層が設けられている。また、周縁部２３には電飾のレンズ３２（装飾部材）が装着されており、それらの背後には発光源となるＬＥＤや電球等が配されている。
【００３２】
窓扉１５の横幅は、パチンコ機１０の横幅とほぼ等しく、高さはパチンコ機１０の上皿扉１７よりも上側部分の高さとほぼ等しく、図３に示すように窓扉１５を閉じた状態では上皿扉１７よりも上側部分のほぼ全域を覆うが、窓扉１５を開ければその部分の全域がほぼ露出する。
【００３３】
中枠１４の前面には錠機構３３が設けられており、窓扉１５は通常はロックされていて開放できない。しかし。錠機構３３を図示しない鍵にて操作して解錠すれば、窓扉１５を開放できる。また、窓扉１５を開放すると上皿扉１７も開放可能になる。
【００３４】
次に図４を参照して窓扉１５の構造を説明する。
図４に示すように、周縁部２３には嵌合溝２４が形成され、その嵌合溝２４にガラス板２６が嵌め込まれた状態で周縁部２３とガラス板２６とが一体化している。
【００３５】
また、周縁部２３の背面側には段差状の嵌合部３１が設けられており、この嵌合部３１には２枚目の透明板であるガラス板２６ａが嵌め込まれて接着されている。
周縁部２３とガラス板２６とは上述のインサート成形にて一体化され、周縁部２３とガラス板２６ａとは嵌合、接着にて一体化されているので、ガラス板２６、２６ａに挟まれた内部空間３４は密封状態となっている。なお、ガラス板２６、２６ａは共に平板状で互いに平行に配されている。
【００３６】
図３に示すように窓扉１５を閉じたときには、ガラス板２６ａが遊技盤にほぼ平行（間隔は約２０ｍｍ）に対面して、遊技盤から窓扉１５側への遊技球の飛び出しを防止する。つまり、遊技領域の前後方向寸法（奥行き）を規定する。
【００３７】
この窓扉１５では、ガラス板２６、２６ａが周縁部２３と一体化されているので、ガラス板２６、２６ａを窓扉１５に装着するためのガラスレールのような構造は必要なく、その分部品点数が減り、構成も単純化され、組み立て工程も単純化できる。
【００３８】
また、ガラスレールなどを取り付けるためのボルト等の連結用の部材が不要になるからこの点でも構造がより単純化される。そうした連結用の穴や爪等を設ける必要がないから、窓扉１５の構造が複雑化しないし、穴等を設けることで強度が低下するのも回避できる。
【００３９】
周縁部２３とガラス板２６とがインサート成形にて一体化されているので、窓２２とガラス板２６との間に隙間が無く、薄板や針金等を差し込んでの不正行為を確実に防止できる。
【００４０】
また、従来は単に開口されていた窓２２部分にガラス板２６、２６ａが強固に嵌め付けられたことにより、周縁部２３とガラス板２６、２６ａが一体化している（窓扉１５が開口を持たない板状の部材とされている）から、従来の窓穴を有する構造と比べれば剛性がきわめて高く強度的にも優れている。
【００４１】
しかも、ガラス板２６、２６ａで挟まれた内部空間３４を密封状態にしているので、この内部空間３４にほこりやたばこの煙等が入り込んで内面を汚すのを確実に防止できる。
この窓扉１５は周縁部２３とガラス板２６とをインサート成形にて一体化させる構成としており、周縁部２３が分割されていないから、周縁部２３を成形するための金型は１種類で済むし、１枠分を作るための射出成形も１回で済む。周縁部２３を組み立てたり、周縁部２３にガラス板２６を嵌め込む作業は不要であるから、製造工程は簡略化され、工数も少なくなる。
【００４２】
ガラス板２６と周縁部２３とは、周縁部２３の内周側に設けられた嵌合溝２４にガラス板２６の外周部を嵌合させる構造にて結合されているので、ガラス板２６が周縁部２３から脱落するおそれはない。
【００４３】
遊技領域側になるガラス板２６ａは、周縁部２３に設けられている嵌合部３１に嵌め込んで接着されているので、ガラス板２６ａの取付作業は容易であり、その取付は強固、確実である。
［具体例２］
窓構造体は、例えば特許文献１の複合ガラス板と同様に、これを上に例示した窓扉１５のような前枠の裏面側に装着して使用することもできる。そのような窓構造体を具体例２として説明する。
【００４４】
図５に示すように、本例の窓構造体４０は、枠体４１と２枚の透明板４２、４２ａとで構成されている。枠体４１の外形はほぼ正方形であり、内周の開口は遊技領域を臨ませる窓４３となる。
【００４５】
製造手順は上述したとおりであり、インサートされた透明板４２が枠体４１の嵌合溝４４に嵌合し、また嵌合部４５には２枚目の透明板４２ａが嵌合、接着されていて、枠体４１と透明板４２、４２ａとが一体化されている。なお、枠体４１に設けられている凹部４６は、枠体４１の軽量化を図り、また合成樹脂の使用量を低減するためであり、これを設けなくてもよい。
【００４６】
この窓構造体４０は、上述の窓扉１５からガラス板２６、２６ａを撤去（窓２２の構造もそれなりに変更）したような構造の前枠の背面側に取り付けられる。その取付構造などは公知技術に従うので、ここでは説明を省略する。なお、前枠の背面側に取り付けられた状態では、枠体４１は前枠の背後に隠れて遊技者には見えなくなるのが普通である。
【００４７】
この窓構造体４０も、具体例１の窓扉１５と同様に、枠体４１が分割されていないから、枠体４１を成形するための金型は１種類で済むし、１枠分を作るための射出成形も１回で済む。枠体４１を組み立てたり、枠体４１に透明板４２を嵌め込む作業は不要であるから、製造工程は簡略化され、工数も少なくなる。
【００４８】
透明板４２と枠体４１とは、枠体４１の内周側に設けられた嵌合溝４４に透明板４２の外周部を嵌合させる構造にて結合されているので、透明板４２が枠体４１から脱落するおそれはない。
【００４９】
透明板４２ａは、枠体４１に設けられている嵌合部４５に嵌め込んで接着されているので、透明板４２ａの取付作業は容易であり、その取付は強固、確実である。
透明板４２、４２ａで挟まれた内部空間を密封状態にしているので、この内部空間にほこりやたばこの煙等が入り込んで内面を汚すのを確実に防止できる。
【００５０】
なお、透明板４２、４２ａのどちらを遊技領域側にするかは任意であり、それに応じて一方をガラス板、他方を合成樹脂板とする等の選択が可能である。もちろん、双方をガラス板としたり、双方を合成樹脂板とすることも可能である。
【図面の簡単な説明】
【００５１】
【図１】実施例の窓構造体のインサート成形の説明図。
【図２】インサート成形品と窓構造体の説明図。
【図３】具体例１のパチンコ機の正面図。
【図４】具体例１の窓扉の図３に示すＡＡ−ＡＡ断面図。
【図５】具体例２の窓構造体の正面図（ａ）と縦断面図（ｂ）。
【符号の説明】
【００５２】
１・・・金型、
２・・・透明板、
２ａ・・・透明板、
３・・・キャビティ、
６・・・枠体、
７・・・嵌合溝、
８・・・嵌合部、
９・・・窓構造体、
１０・・・パチンコ機（弾球遊技機）、
１５・・・窓扉（窓構造体、前枠）、
２３・・・周縁部（枠体）、
２４・・・嵌合溝、
２６・・・ガラス板（透明板）、
２６ａ・・・ガラス板（透明板）、
３１・・・嵌合部、
４０・・・窓構造体、
４１・・・枠体、
４２・・・透明板、
４２ａ・・・透明板、
４４・・・嵌合溝、
４５・・・嵌合部。
【図１】
2005058671.tif 000003
【図２】
2005058671.tif 000004
【図３】
2005058671.tif 000005
【図４】
2005058671.tif 000006
【図５】
2005058671.tif 000007